(57)【要約】【課題】ＰＯＳシステムに新たに記憶されたリンク先コンテンツをディジタルサイネージ端末装置に表示させる。【解決手段】実施形態のコンテンツ送信装置は、設定部と、受信部と、送信部と、を備える。前記設定部は、連続して送信する対象コンテンツにリンクさせるコンテンツであって外部機器に記憶されたリンク先コンテンツ、および当該リンク先コンテンツを送信する送信日時を設定する。前記受信部は、前記設定された送信日時または当該送信日時の所定時間前に、前記外部機器から、前記設定されたリンク先コンテンツを受信する。前記送信部は、前記対象コンテンツを連続して送信するとともに、前記設定された送信日時に送信中の前記対象コンテンツと当該送信中の対象コンテンツの次に送信する前記対象コンテンツの間に、前記受信したリンク先コンテンツを送信する。【選択図】図１
2013171466.tif 000002
【特許請求の範囲】
【請求項１】
連続して送信する対象コンテンツにリンクさせるコンテンツであって外部機器に記憶されたリンク先コンテンツ、および当該リンク先コンテンツを送信する送信日時を設定する設定部と、
前記設定された送信日時または当該送信日時の所定時間前に、前記外部機器から、前記設定されたリンク先コンテンツを受信する受信部と、
前記対象コンテンツを連続して送信するとともに、前記設定された送信日時に送信中の前記対象コンテンツと当該送信中の対象コンテンツの次に送信する前記対象コンテンツの間に、前記受信したリンク先コンテンツを送信する送信部と、
を備えたコンテンツ送信装置。
【請求項２】
前記設定部は、さらに、前記設定された送信日時または当該送信日時の所定時間前の日時を、前記リンク先コンテンツを受信する受信日時として設定し、
前記受信部は、前記設定された受信日時に、前記外部機器から、前記設定されたリンク先コンテンツを受信する請求項１に記載のコンテンツ送信装置。
【請求項３】
前記設定された送信日時に前記リンク先コンテンツの受信要求を受け付ける受付部をさらに備え、
前記受信部は、前記受信要求を受け付けた場合に、前記外部機器から、前記設定されたリンク先コンテンツを受信する請求項１に記載のコンテンツ送信装置。
【請求項４】
顧客情報と当該顧客情報が示す顧客のランクとを対応付けて記憶する記憶部を備え、
前記受信部は、前記対象コンテンツの送信先から前記顧客情報を受信するとともに、前記顧客情報を受信した際に前記設定されたリンク先コンテンツを受信し、
前記送信部は、前記送信中の対象コンテンツと前記次に送信する対象コンテンツの間に、前記受信したリンク先コンテンツのうち、前記受信した顧客情報と対応付けて前記記憶部に記憶されたランクに応じたリンク先コンテンツを送信する請求項１から３のいずれか一項に記載のコンテンツ送信装置。
【請求項５】
コンピュータを、
連続して送信する対象コンテンツにリンクさせるコンテンツであって外部機器に記憶されたリンク先コンテンツ、および当該リンク先コンテンツを送信する送信日時を設定する設定部と、
前記設定された送信日時または当該送信日時の所定時間前に、前記外部機器から、前記設定されたリンク先コンテンツを受信する受信部と、
前記対象コンテンツを連続して送信するとともに、前記設定された送信日時に送信中の前記対象コンテンツと当該送信中の対象コンテンツの次に送信する前記対象コンテンツの間に、前記受信したリンク先コンテンツを送信する送信部と、
として機能させるためのプログラム。
【請求項６】
前記設定部は、さらに、前記設定された送信日時または当該送信日時の所定時間前の日時を、前記リンク先コンテンツを受信する受信日時として設定し、
前記受信部は、前記設定された受信日時に、前記外部機器から、前記設定されたリンク先コンテンツを受信する請求項５に記載のプログラム。
【発明の詳細な説明】
【技術分野】
【０００１】
本発明の実施形態は、コンテンツ送信装置およびプログラムに関する。
【背景技術】
【０００２】
コンテンツを連続して送信するとともに、当該コンテンツにリンクするコンテンツであってＰＯＳ（Point  Of  Sales）システム等の外部機器に記憶された商品の売上情報や企画情報等のリンク先コンテンツを送信するサーバと、当該サーバから送信されたコンテンツやリンク先コンテンツを再生するディジタルサイネージと、を有するディジタルサイネージシステムが開示されている。
【発明の概要】
【発明が解決しようとする課題】
【０００３】
しかしながら、従来のディジタルサイネージシステムにおいて、サーバは、ＰＯＳシステムから予め取得したリンク先コンテンツをディジタルサイネージに送信しているため、ＰＯＳシステムに新たに記憶されたリンク先コンテンツをディジタルサイネージに対して送信することができず、ＰＯＳシステムに記憶されているリンク先コンテンツとディジタルサイネージで再生されているリンク先コンテンツとを連動させることができない、という課題がある。
【課題を解決するための手段】
【０００４】
実施形態のコンテンツ送信装置は、設定部と、受信部と、送信部と、を備える。前記設定部は、連続して送信する対象コンテンツにリンクさせるコンテンツであって外部機器に記憶されたリンク先コンテンツ、および当該リンク先コンテンツを送信する送信日時を設定する。前記受信部は、前記設定された送信日時または当該送信日時の所定時間前に、前記外部機器から、前記設定されたリンク先コンテンツを受信する。前記送信部は、前記対象コンテンツを連続して送信するとともに、前記設定された送信日時に送信中の前記対象コンテンツと当該送信中の対象コンテンツの次に送信する前記対象コンテンツの間に、前記受信したリンク先コンテンツを送信する。
【図面の簡単な説明】
【０００５】
【図１】図１は、第１の実施形態にかかる情報処理システムの概略構成を示すブロック図である。
【図２】図２は、ディジタルサイネージ端末装置の外観正面図である。
【図３】図３は、ディジタルサイネージ端末装置の概略構成を示すブロック図である。
【図４】図４は、情報送信サーバの概略構成を示すブロック図である。
【図５】図５は、コンテンツ情報テーブルのデータ構成を示す図である。
【図６】図６は、リンク先コンテンツ情報テーブルのデータ構成を示す図である。
【図７】図７は、第１の実施形態にかかる情報送信サーバの機能構成を示すブロック図である。
【図８】図８は、情報送信サーバのディスプレイユニットに表示される選択画面の一例を示す図である。
【図９】図９は、情報送信サーバのディスプレイユニットに表示される第１設定画面の一例を示す図である。
【図１０】図１０は、情報送信サーバのディスプレイユニットに表示される第２設定画面の一例を示す図である。
【図１１】図１１は、対象コンテンツのプレビュー画面の一例を示す図である。
【図１２】図１２は、リンク先コンテンツのプレビュー画面の一例を示す図である。
【図１３】図１３は、情報送信サーバにおけるコンテンツの送信処理の流れを示すフローチャートである。
【図１４】図１４は、第２の実施形態にかかる情報送信サーバの機能構成を示すブロック図である。
【図１５】図１５は、企画情報の送信に関する送信設定情報を入力する第２設定画面の一例を示す図である。
【図１６】図１６は、リンク先コンテンツのプレビュー画面の一例を示す図である。
【図１７】図１７は、第３の実施形態にかかる情報送信サーバの機能構成を示すブロック図である。
【図１８】図１８は、顧客情報に応じたリンク先コンテンツの送信に関する送信設定情報を入力する第２設定画面の一例を示す図である。
【発明を実施するための形態】
【０００６】
（第１の実施形態）
図１は、第１の実施形態にかかる情報処理システムの概略構成を示すブロック図である。以下の説明では、本実施形態にかかる情報処理システムがショッピングモールに設けられた場合について説明する。
【０００７】
本実施形態にかかる情報処理システム１０は、商品の売上情報やプロモーション情報などのコンテンツを記憶するＰＯＳ（Point  Of  Sales）システム１５と、ＰＯＳシステム１５に記憶されたコンテンツを送信するコンテンツ送信装置としての情報送信サーバ１１と、構内ＬＡＮ（Local  Area  Network）等の通信ネットワーク１２を介して情報送信サーバ１１から送信されたコンテンツを表示する複数のディジタルサイネージ（Digital  Signage）端末装置１４と、を備えている。
【０００８】
図２は、ディジタルサイネージ端末装置の外観正面図である。ディジタルサイネージ端末装置１４は、液晶ディスプレイあるいはプラズマディスプレイとして構成されたディスプレイユニット２１と、各種チケット，クーポン等を印刷して発行するプリンタユニット２２と、通信距離数センチ〜１０センチ程度の近距離無線通信により携帯情報端末装置（図示しない）との間で通信を行う近距離無線通信部２３と、顧客が所持する顧客カードから、顧客ＩＤなど顧客を示す顧客情報を読み取るカードリーダ２７と、ディスプレイユニット２１，プリンタユニット２２，カードリーダ２７，および近距離無線通信部２３を支持する筐体部２４と、を備えている。
【０００９】
筐体部２４の上部には、ユーザを撮影して画像認識を行い、ユーザの年齢層を特定し、送信する情報の種類を制御する等の用途に用いられるカメラユニット２５が内蔵され、筐体部２４の下部には、ＢＧＭや広告音声等の各種音響出力を行うスピーカユニット２６が内蔵されている。なお、画像認識等の処理は、ディジタルサイネージ端末装置１４で行うことなく、情報送信サーバ１１等の上流側サーバで行っても良い。
【００１０】
プリンタユニット２２としては、例えば、ロール紙を記録媒体とする感熱記録方式のプリンタ装置が用いられ、必要に応じてロール紙を自動的にカットするカット機構を備えている。
【００１１】
図３は、ディジタルサイネージ端末装置の概略構成を示すブロック図である。ディジタルサイネージ端末装置１４は、上述したディスプレイユニット２１、プリンタユニット２２、カメラユニット２５、スピーカユニット２６、およびカードリーダ２７の他、当該ディジタルサイネージ端末装置１４全体を制御するコントローラ３１と、オペレータあるいはユーザが各種操作を行うための操作部３２と、通信ネットワーク１２を介して情報送信サーバ１１との間で通信を行うためのネットワーク通信インタフェース（ＩＦ）３３と、近距離無線通信部２３を構成し、携帯情報端末装置（図示しない）に対して売上情報やプロモーション情報等のコンテンツを送信する情報送信用通信インタフェース（ＩＦ）３４と、各種データを記憶する外部記憶装置３５と、を備えている。
【００１２】
ここで、コントローラ３１は、当該コントローラ３１全体を制御するＭＰＵ（Micro  Processing  Unit）３６と、ＭＰＵ３６が動作するための制御プログラム等を格納したＲＯＭ（Read  Only  Memory）３７と、各種データを一時的に記憶するＲＡＭ（Random  Access  Memory）３８と、を備えている。そして、コントローラ３１は、ＭＰＵ３６がＲＯＭ３７に格納された制御プログラムを実行することにより、通信ネットワーク１２を介して情報送信サーバ１１から送信されたコンテンツを受信して、受信したコンテンツを再生してディスプレイユニット２１に表示する。また、操作部３２は、各種スイッチ、ボタン等で構成したり、タッチパネルとしてディスプレイユニット２１と一体に構成したりしても良い。
【００１３】
また、携帯情報端末装置（図示しない）に対してコンテンツを送信するに際しては、情報送信用通信インタフェース（ＩＦ）３４を介した送信の他、ディスプレイユニット２１の表示画面上に例えば２次元バーコードを表示し、携帯情報端末装置（図示しない）のカメラユニットにより撮影させてデコードさせることにより送信するように構成しても良い。
【００１４】
図４は、情報送信サーバの概略構成を示すブロック図である。情報送信サーバ１１は、当該情報送信サーバ１１全体を制御するコントローラ４１と、オペレータが各種操作を行うためのキーボードやマウス等を有する操作部４２と、通信ネットワーク１２を介してディジタルサイネージ端末装置１４との間で通信を行うためのネットワーク通信インタフェース（ＩＦ）４３と、各種データを記憶する外部記憶装置４４と、液晶ディスプレイとして構成されたディスプレイユニット４５と、を備えている。
【００１５】
ここで、コントローラ４１は、当該コントローラ４１全体を制御するＭＰＵ４６、ＭＰＵ４６が動作するための制御プログラム等を格納したＲＯＭ４７と、各種データを一時的に記憶するＲＡＭ４８と、を備えている。
【００１６】
外部記憶装置４４は、コンテンツ、画像、コンテンツ情報テーブルＴ１（図５参照）、リンク先コンテンツ情報テーブルＴ２（図６参照）等を記憶している。
【００１７】
図５は、コンテンツ情報テーブルのデータ構成を示す図である。図５に示すように、コンテンツ情報テーブルＴ１は、外部記憶装置４４に記憶されたコンテンツを識別するコンテンツＩＤ（識別情報）と、当該コンテンツＩＤにより識別されるコンテンツのコンテンツ名と、当該コンテンツＩＤにより識別されるコンテンツに含まれる画像のサムネイル画像と、を対応付けて記憶している。
【００１８】
図６は、リンク先コンテンツ情報テーブルのデータ構成を示す図である。図６に示すように、リンク先コンテンツ情報テーブルＴ２は、対象コンテンツＩＤと、対象コンテンツ名と、送信番号と、繰返回数と、リンク先コンテンツＩＤと、リンク先コンテンツ名と、第２リンク先コンテンツＩＤと、第２リンク先コンテンツ名と、画像情報と、送信日時と、受信日時と、コンテンツ情報と、を対応付けて記憶している。
【００１９】
対象コンテンツＩＤは、外部記憶装置４４に記憶されたコンテンツのうちディジタルサイネージ端末装置１４に連続して送信するコンテンツ（以下、対象コンテンツとする）のコンテンツＩＤである。対象コンテンツ名は、対象コンテンツＩＤにより識別される対象コンテンツのコンテンツ名である。送信番号は、対象コンテンツをディジタルサイネージ端末装置１４に送信する順序を表すものである。本実施形態では、ディジタルサイネージ端末装置１４は、情報送信サーバ１１から送信されてきた順に対象コンテンツを再生する。よって、本実施形態において、送信番号は、ディジタルサイネージ端末装置１４において複数の対象コンテンツを再生する場合における当該複数の対象コンテンツの再生順序を表すものとなる。繰返回数は、ディジタルサイネージ端末装置１４に対して対象コンテンツを繰り返し送信する回数である。
【００２０】
リンク先コンテンツＩＤは、対象コンテンツにリンクするコンテンツであって、ＰＯＳシステム１５に記憶されたコンテンツ（以下、リンク先コンテンツとする）を識別するコンテンツＩＤである。リンク先コンテンツ名は、リンク先コンテンツＩＤにより識別されるリンク先コンテンツのコンテンツ名である。第２リンク先コンテンツＩＤは、リンク先コンテンツにリンクするコンテンツであって、ＰＯＳシステム１５に記憶されたコンテンツ（以下、第２リンク先コンテンツとする）を識別するコンテンツＩＤである。第２リンク先コンテンツ名は、第２リンク先コンテンツＩＤにより識別される第２リンク先コンテンツのコンテンツ名である。
【００２１】
画像情報は、外部記憶装置４４に記憶された画像のうち、リンク先コンテンツＩＤにより識別されるリンク先コンテンツとともに、ディジタルサイネージ端末装置１４に送信する画像を識別する情報（例えば、画像名など）である。送信日時は、リンク先コンテンツＩＤにより識別されるリンク先コンテンツをディジタルサイネージ端末装置１４に対して送信する日時である。受信日時は、リンク先コンテンツＩＤにより識別されるリンク先コンテンツをＰＯＳシステム１５から受信する日時である。コンテンツ情報は、リンク先コンテンツＩＤにより識別されるリンク先コンテンツに複数の情報が含まれる場合に、当該リンク先コンテンツに含まれる情報のうちディジタルサイネージ端末装置１４に送信する情報を識別するコンテンツ情報（例えば、リンク先コンテンツに複数の商品の売上情報が含まれる場合に、ディジタルサイネージ端末装置１４に売上情報を送信する商品の部門など）である。
【００２２】
次に、本実施形態にかかる情報送信サーバ１１が有する特徴的な機能について説明する。図７は、第１の実施形態にかかる情報送信サーバの機能構成を示すブロック図である。ＭＰＵ４６は、ＲＯＭ４７に記憶された制御プログラムに従って動作することで、図７に示すように、表示制御部７０１、選択部７０２、設定部７０３、受信部７０４、および送信部７０５として機能する。
【００２３】
表示制御部７０１は、選択画面４５Ａ（図８参照）、第１設定画面４５Ｂ（図９参照）、第２設定画面４５Ｃ（図１０参照）、プレビュー画面４５Ｄ，４５Ｅ（図１１および図１２参照）をディスプレイユニット４５に表示する。
【００２４】
図８は、情報送信サーバのディスプレイユニットに表示される選択画面の一例を示す図である。操作部４２が操作されて、ディジタルサイネージ端末装置１４に送信する対象コンテンツの選択が要求されると、表示制御部７０１は、ディスプレイユニット４５に選択画面４５Ａを表示する。
【００２５】
選択画面４５Ａは、大別すると、一覧表示領域８１と、編集領域８２と、を有している。一覧表示領域８１は、外部記憶装置４４に記憶されたコンテンツの一覧を表示する領域である。本実施形態では、一覧表示領域８１には、コンテンツ情報テーブルＴ１に記憶されたサムネイル画像８１Ａが表示される。なお、本実施形態では、一覧表示領域８１には、コンテンツ情報テーブルＴ１に記憶されたサムネイル画像８１Ａを表示しているが、外部記憶装置４４に記憶されたコンテンツに関わる情報の一覧を表示するものであれば、これに限定するものではない。例えば、一覧表示領域８１には、コンテンツ情報テーブルＴ１に記憶されたコンテンツ名等を表示しても良い。
【００２６】
編集領域８２は、ディジタルサイネージ端末装置１４に送信する対象コンテンツおよび当該対象コンテンツの送信順序を入力するための領域である。本実施形態では、編集領域８２は、対象コンテンツの送信順序を表す数字が表示された複数の領域８２Ａを有する。情報送信サーバ１１のオペレータは、操作部４２を操作して、一覧表示領域８１に表示されたサムネイル画像８１Ａをドラックし、編集領域８２が有する領域８２Ａのうち所望の送信順序を表す数字（送信番号）が表示された領域８２Ａにサムネイル画像８１Ａをドロップすることにより、対象コンテンツおよび当該対象コンテンツの送信番号を入力する。また、編集領域８２には、当該編集領域８２において入力された対象コンテンツのうち、当該対象コンテンツにリンクさせるリンク先コンテンツを設定する対象コンテンツを選択するカーソル８６が表示される。オペレータは、操作部４２を用いて、カーソル８６を所望の対象コンテンツのサムネイル画像８１Ａに移動させることにより、リンク先コンテンツを設定する対象コンテンツを選択することができる。
【００２７】
また、選択画面４５Ａは、送信条件入力領域８３と、ファンクションボタン領域８５と、を有している。送信条件入力領域８３は、対象コンテンツの送信条件を入力するための領域である。本実施形態では、送信条件入力領域８３は、送信する対象コンテンツのコンテンツ名を入力するためのコンテンツ名入力欄８３Ａ、対象コンテンツの送信番号を入力するための送信番号入力欄８３Ｂ、対象コンテンツを繰り返し送信する繰返回数を入力するための繰返回数入力欄８３Ｃなどを有している。なお、送信番号入力欄８３Ｂには、編集領域８２において入力された対象コンテンツの送信番号のうち、コンテンツ名入力欄８３Ａにコンテンツ名が入力された対象コンテンツの送信番号が表示される。ただし、オペレータが操作部４２を用いて送信番号を入力した場合、送信番号入力欄８３Ｂには、当該操作部４２を用いて入力された送信番号が、送信番号入力欄８３Ｂに表示される。
【００２８】
なお、本実施形態では、ディジタルサイネージ端末装置１４は、情報送信サーバ１１から送信されてきた順に対象コンテンツを再生するため、送信番号入力欄８３Ｂにおいて入力された送信番号は、ディジタルサイネージ端末装置１４において対象コンテンツを再生する際の当該対象コンテンツを再生する再生順序となる。
【００２９】
ファンクションボタン領域８５は、対象コンテンツの入力終了を要求する終了ボタン８５Ａ、対象コンテンツにリンクするリンク先コンテンツの入力を要求するリンクボタン８５Ｂ、対象コンテンツのプレビュー画像の表示を要求するプレビューボタン８５Ｃ、選択画面４５Ａにおいて入力された各種情報を確定する確定ボタン８５Ｄなどを有している。
【００３０】
オペレータが操作部４２を操作して、入力した対象コンテンツのサムネイル画像８１Ａにカーソル８６を移動させ、かつ選択画面４５Ａのリンクボタン８５Ｂを押下することにより、リンク先コンテンツを設定する対象コンテンツを選択する。選択画面４５Ａにおいてリンク先コンテンツを設定する対象コンテンツが選択されると、表示制御部７０１は、ディスプレイユニット４５に第１設定画面４５Ｂ（図９参照）を表示する。
【００３１】
図９は、情報送信サーバのディスプレイユニットに表示される第１設定画面の一例を示す図である。第１設定画面４５Ｂは、大別すると、一覧表示領域９１と、編集領域９２と、を有している。一覧表示領域９１は、ＰＯＳシステム１５に記憶されたコンテンツのうちリンク先コンテンツとして設定可能なコンテンツの一覧を表示する領域である。本実施形態では、一覧表示領域９１には、ＰＯＳシステム１５に記憶されたコンテンツのコンテンツ名９１Ａが表示される。なお、本実施形態では、一覧表示領域９１には、コンテンツ名９１Ａを表示しているが、ＰＯＳシステム１５に記憶されたコンテンツに関わる情報の一覧を表示するものであれば、これに限定するものではない。例えば、一覧表示領域９１には、ＰＯＳシステム１５に記憶されたコンテンツを再生した画像のサムネイル画像等を表示しても良い。
【００３２】
編集領域９２は、対象コンテンツにリンクさせるリンク先コンテンツおよび当該リンク先コンテンツにリンクさせる第２リンク先コンテンツを入力するための領域である。本実施形態では、編集領域９２は、第１設定画面４５Ｂにおいて入力された対象コンテンツの送信番号、当該送信番号の対象コンテンツに設定可能なリンク先コンテンツの数、および当該送信番号の対象コンテンツに設定するリンク先コンテンツを送信する送信順序であるコンテンツ送信番号を含む識別情報（例えば、「１−１−２」など）が表示された複数の領域９２Ａを有する。情報送信サーバ１１のオペレータは、操作部４２を操作して、一覧表示領域９１に表示されたコンテンツ名９１Ａをドラックし、編集領域９２が有する領域９２Ａのうち、リンク先コンテンツを入力する所望の対象コンテンツの送信番号を含む識別情報が表示された領域９２Ａにコンテンツ名９１Ａをドロップすることにより、対象コンテンツにリンクするリンク先コンテンツを入力する。なお、情報送信サーバ１１のオペレータは、同一の送信番号を含む識別情報が表示された領域９２Ａにコンテンツ名９１Ａを複数ドロップすることにより、１つの対象コンテンツにリンクさせる複数のリンク先コンテンツを入力することもできる。図９においては、識別情報：「１−１−１」が表示された領域９２Ａにコンテンツ名９１Ａ：「コンテンツＡ」がドロップされ、識別情報：「２−２−１」が表示された領域９２Ａにコンテンツ名９１Ａ：「コンテンツＢ」がドロップされ，識別情報：「３−３−１」が表示された領域９２Ａにコンテンツ名９１Ａ：「コンテンツＣ」がドロップされているため、送信番号が「１」の対象コンテンツにリンクするリンク先コンテンツとして「コンテンツＡ」が入力され、送信番号が「２」の対象コンテンツにリンクするリンク先コンテンツとして「コンテンツＢ」が入力され、送信番号が「３」の対象コンテンツにリンクするリンク先コンテンツとして「コンテンツＣ」が入力される。また、編集領域９２には、当該編集領域９２において入力されたリンク先コンテンツのうち、当該リンク先コンテンツの送信に関する送信設定情報を設定するリンク先コンテンツを選択するカーソル９５が表示される。オペレータは、操作部４２を用いて、カーソル９５を所望のリンク先コンテンツのコンテンツ名９１Ａに移動させることにより、送信設定情報を設定するリンク先コンテンツを選択することができる。
【００３３】
また、編集領域９２には、当該編集領域９２において入力されたリンク先コンテンツのうち、当該リンク先コンテンツの送信に関する送信設定情報を設定するリンク先コンテンツを選択するカーソル９５が表示される。オペレータは、操作部４２を用いて、カーソル９５を所望のリンク先コンテンツのコンテンツ名９１Ａに移動させることにより、送信設定情報を設定するリンク先コンテンツを選択することができる。
【００３４】
また、第１設定画面４５Ｂは、ファンクションボタン領域９４と、を有している。ファンクションボタン領域９４は、リンク先コンテンツ（または第２リンク先コンテンツ）の入力終了を要求するための終了ボタン９４Ａ、入力したリンク先コンテンツを送信する送信日時など当該入力したリンク先コンテンツの送信に関する送信設定情報の入力を要求するための編集ボタン９４Ｂ、入力したリンク先コンテンツのプレビュー画像の表示を要求するためのプレビューボタン９４Ｃ、第１設定画面４５Ｂにおいて入力された各種情報を確定するための確定ボタン９４Ｄを有している。
【００３５】
オペレータが操作部４２を操作して、入力したリンク先コンテンツのコンテンツ名９１Ａにカーソル９５を移動させ、かつ第１設定画面４５Ｂの編集ボタン９４Ｃを押下することにより、送信設定情報を設定するリンク先コンテンツを選択する。第１設定画面４５Ｂにおいて送信設定情報を設定するリンク先コンテンツが選択されると、表示制御部７０１は、ディスプレイユニット４５に第２設定画面４５Ｃ（図１０参照）を表示する。
【００３６】
図１０は、情報送信サーバのディスプレイユニットに表示される第２設定画面の一例を示す図である。第２設定画面４５Ｃは、第１設定画面４５Ｂにおいて選択されたリンク先コンテンツの送信に関する送信設定情報を入力するための画面である。本実施形態では、第２設定画面４５Ｃは、大別すると、画像表示領域１０１と、情報設定領域１０２と、ファンクションボタン領域１０３と、を有している。
【００３７】
ファンクションボタン領域１０３は、送信設定情報の入力終了を要求する終了ボタン１０３Ａ、第１設定画面４５Ｂの表示を要求するリンクボタン１０３Ｂ、第１設定画面４５Ｂにおいて選択されたリンク先コンテンツ（送信設定情報を入力するリンク先コンテンツ（例えば、コンテンツＡ））を、他のリンク先コンテンツ（例えば、コンテンツＢ、コンテンツＣなど）を切り替える切替ボタン１０３Ｄと、第２設定画面４５Ｃで入力された各種情報を確定する確定ボタン１０３Ｃなどを有している。なお、本実施形態では、第１設定画面４５Ｂにおいて選択されたリンク先コンテンツであるコンテンツＡ（例えば、売上が高い商品の品名やメーカ名や売上金額や売上個数などの情報を含む売上情報）の送信設定情報を入力する例について説明する。
【００３８】
画像表示領域１０１は、リンク先コンテンツとともにディジタルサイネージ端末装置１４に送信可能な画像であって外部記憶装置４４に記憶された画像の一覧を表示する領域である。本実施形態では、画像表示領域１０１には、外部記憶装置４４に記憶された画像の画像名１０１Ａ（リンク先コンテンツ情報テーブルＴ２に画像情報として記憶された画像名）（例えば、画像１〜６）が表示される。なお、本実施形態では、画像表示領域１０１には、外部記憶装置４４に記憶された画像の画像名１０１Ａが表示されているが、リンク先コンテンツとともにディジタルサイネージ端末装置１４に送信可能な画像の画像情報を表示するものであれば、これに限定するものではなく、画像表示領域１０１には、外部記憶装置４４に記憶された画像を表示しても良い。
【００３９】
情報設定領域１０２は、切替ボタン１０３Ｄにより切り替えられたリンク先コンテンツの送信に関する送信設定情報を入力するための領域である。本実施形態では、情報設定領域１０２には、リンク先コンテンツとともにディジタルサイネージ端末装置１４に送信する画像の画像名（画像情報）を入力する画像情報入力欄１０２Ａ、リンク先コンテンツをディジタルサイネージ端末装置１４に送信する送信期間（年月日）を入力する送信期間入力欄１０２Ｂ、リンク先コンテンツをディジタルサイネージ端末装置１４に送信する送信時間を入力する送信時間入力欄１０２Ｃ、ディジタルサイネージ端末装置１４に送信するリンク先コンテンツをＰＯＳシステム１５から受信する受信時間を入力する受信時間入力欄１０２Ｄ、およびリンク先コンテンツが複数の情報（例えば、商品毎の売上情報など）を含む場合にディジタルサイネージ端末装置１４に送信する情報を表すコンテンツ情報（例えば、ディジタルサイネージ端末装置１４に売上情報を送信する商品の部門等）を入力するコンテンツ情報入力欄１０２Ｅを有している。なお、受信時間入力欄１０２Ｄに入力される受信時間は、送信期間入力欄１０２Ｂおよび送信時間入力欄１０２Ｃにおいて入力された送信日時と同じ送信日時若しくは当該送信日時の所定時間前の日時であるものとする。
【００４０】
情報送信サーバ１１のオペレータは、操作部４２を操作することにより、画像名、送信期間、送信時間、受信時間、コンテンツ情報等の送信設定情報を、画像情報入力欄１０２Ａ、送信期間入力欄１０２Ｂ、送信時間入力欄１０２Ｃ、受信時間入力欄１０２Ｄ、およびコンテンツ情報入力欄１０２Ｅに入力することができる。
【００４１】
図８に戻り、選択画面４５Ａが表示されている間に、オペレータが操作部４２を操作して、選択画面４５Ａのプレビューボタン８５Ｃを押下すると、表示制御部７０１は、ディスプレイユニット４５にプレビュー画面４５Ｄ（図１１参照）を表示する。
【００４２】
図１１は、対象コンテンツのプレビュー画面の一例を示す図である。表示制御部７０１は、プレビューボタン８５Ｃが押下されると、コンテンツ情報テーブルＴ１において、選択画面４５Ａにおいて入力された対象コンテンツのコンテンツＩＤを特定する。そして、表示制御部７０１は、外部記憶装置４４から、特定したコンテンツＩＤにより識別されるコンテンツを読み出す。次いで、表示制御部７０１は、読み出したコンテンツ（対象コンテンツ）を再生したコンテンツ領域１００１を含むプレビュー画面４５Ｄを表示する。
【００４３】
図９に戻り、第１設定画面４５Ｂが表示されている間に、オペレータが操作部４２を操作して、入力したリンク先コンテンツのコンテンツ名９１Ａにカーソル９５を移動させ、かつ第１設定画面４５Ｂのプレビューボタン９４Ｃを押下すると、表示制御部７０１は、ディスプレイユニット４５にプレビュー画面４５Ｅ（図１２参照）を表示する。
【００４４】
図１２は、リンク先コンテンツのプレビュー画面の一例を示す図である。表示制御部７０１は、プレビューボタン９４Ｃが押下されると、ＰＯＳシステム１５から、リンク先コンテンツであるコンテンツＡ（例えば、売上情報）を受信する。次いで、表示制御部７０１は、受信した売上情報に含まれる情報（例えば、商品毎の売上情報）のうち、第２設定画面４５Ｃにおいて入力されたコンテンツ情報が表す部門：「お菓子」の売上情報：菓子名１２０３やメーカ名１２０２などを、第２設定画面４５Ｃにおいて入力された画像名が表す画像１２０１に含めたプレビュー画面４５Ｅを表示する。なお、表示制御部７０１は、第２設定画面４５Ｃにおいて入力された画像名が表す画像１２０１を、当該第２設定画面４５Ｃにおいて入力された画像名を用いて、外部記憶装置４４から取得するものとする。
【００４５】
図７に戻り、選択部７０２は、ディジタルサイネージ端末装置１４に送信する対象コンテンツを選択するものである。本実施形態では、選択部７０２は、表示制御部７０１により表示された選択画面４５Ａの確定ボタン８５Ｄが押下されると、選択画面４５Ａの編集領域８２において入力された対象コンテンツのコンテンツＩＤ（対象コンテンツＩＤ）、および選択画面４５Ａの送信条件入力領域８３において入力された送信条件（例えば、対象コンテンツ名、送信番号、繰返回数など）を、リンク先コンテンツテーブルＴ２に記憶させる。これにより、選択部７０２は、選択画面４５Ａの編集領域８２において入力された対象コンテンツの選択を行うものとする。
【００４６】
設定部７０３は、選択部７０２によって選択した対象コンテンツにリンクさせるリンク先コンテンツ、および当該リンク先コンテンツを送信する送信日時を設定するものである。本実施形態では、設定部７０３は、第１設定画面４５Ｂにおいて入力されたリンク先コンテンツのコンテンツＩＤ（リンク先コンテンツＩＤ）およびコンテンツ名（リンク先コンテンツ名）、および第２設定画面４５Ｃの情報設定領域１０２において入力された送信設定情報（例えば、画像名（画像情報）、送信期間、送信時間、受信時間、コンテンツ情報など）を、選択部７０２により選択された対象コンテンツの対象コンテンツＩＤと対応付けて、リンク先コンテンツ情報テーブルＴ２に記憶させる。これにより、設定部７０３は、選択部７０２によって選択した対象コンテンツにリンクさせるリンク先コンテンツおよび送信日時を設定するものとする。
【００４７】
受信部７０４は、設定部７０３により設定された送信日時（例えば、２０１１年１１月０１日の１５：００）または当該送信日時の所定時間前（例えば、２０１１年１１月０１日の１４：５０）に、ＰＯＳシステム１５等の外部機器から、設定部７０３により設定されたリンク先コンテンツを受信するものである。本実施形態では、受信部７０４は、リンク先コンテンツ情報テーブルＴ２から、当該リンク先コンテンツ情報テーブルＴ２に記憶されたリンク先コンテンツＩＤのうち、現在の日時（図示しないＲＴＣ（Real  Time  Clock）により計時される日時）を表す受信日時（送信期間および受信時間）と対応付けて記憶されたリンク先コンテンツＩＤを特定する。そして、受信部７０４は、ＰＯＳシステム１５から、特定したリンク先コンテンツＩＤにより識別されるリンク先コンテンツを受信する。
【００４８】
送信部７０５は、選択部７０２により選択した対象コンテンツをディジタルサイネージ端末装置１４に対して連続して送信するものである。本実施形態では、送信部７０５は、リンク先コンテンツ情報テーブルＴ２から、最も小さい送信番号と対応付けて記憶された対象コンテンツＩＤから順に読み出す。そして、送信部７０５は、外部記憶装置４４から、読み出された対象コンテンツＩＤにより識別される対象コンテンツを読み出す。次いで、送信部７０５は、外部記憶装置４４から読み出された対象コンテンツを、ディジタルサイネージ端末装置１４に対して送信する。
【００４９】
また、送信部７０５は、設定部７０３により設定された送信日時に送信中の対象コンテンツと当該送信中の対象コンテンツの次に送信する対象コンテンツの間に、受信部７０４により受信したリンク先コンテンツを送信するものである。本実施形態では、送信部７０５は、リンク先コンテンツ情報テーブルＴ２に記憶されたリンク先コンテンツＩＤのうち、現在の日時（図示しないＲＴＣにより計時される日時）を表す送信日時（送信期間および送信時間）と対応付けて記憶されたリンク先コンテンツＩＤを特定する。そして、送信部７０５は、送信中の対象コンテンツの送信が終了した後であって当該送信中の対象コンテンツの次に送信する対象コンテンツを送信する前に、受信部７０４が受信したリンク先コンテンツのうち、特定したリンク先コンテンツＩＤにより識別されるリンク先コンテンツを送信する。
【００５０】
次に、図１３を用いて、情報送信サーバ１１におけるコンテンツの送信処理について詳細に説明する。図１３は、情報送信サーバにおけるコンテンツの送信処理の流れを示すフローチャートである。
【００５１】
送信部７０５は、リンク先コンテンツ情報テーブルＴ２から、最も小さい送信番号と対応付けて記憶された対象コンテンツＩＤを読み出す。さらに、送信部７０５は、外部記憶装置４４から、読み出した対象コンテンツＩＤにより識別される対象コンテンツを読み出し、当該読み出した対象コンテンツをディジタルサイネージ端末装置１４に対して送信する（ステップＳ１３０１）。
【００５２】
次に、送信部７０５は、図示しないＲＴＣにより計時された現在の日時が、設定部７０３により設定された送信日時（つまり、リンク先コンテンツ情報テーブルＴ２に記憶された送信期間および送信時間）を表しているか否かを判断する（ステップＳ１３０２）。
【００５３】
ここで、図示しないＲＴＣにより計時された現在の日時が、設定部７０３により設定された送信日時を表していない場合（ステップＳ１３０２：Ｎｏ）、送信部７０５は、次に送信する対象コンテンツが有るか否か（つまり、ステップＳ１３０１で送信した対象コンテンツの対象コンテンツＩＤと対応付けて記憶された送信番号よりも大きい送信番号と対応付けて記憶された対象コンテンツＩＤが、リンク先コンテンツ情報テーブルＴ２に記憶されているか否か）を判断する（ステップＳ１３０５）。次に送信する対象コンテンツが無いと判断した場合（ステップＳ１３０５：Ｎｏ）、送信部７０５は、対象コンテンツの送信を終了する。一方、次に送信する対象コンテンツが有ると判断した場合（ステップＳ１３０５：Ｙｅｓ）、送信部７０５は、リンク先コンテンツ情報テーブルＴ２から、次に小さい送信番号と対応付けて記憶された対象コンテンツＩＤを読み出す。さらに、送信部７０５は、外部記憶装置４４から、読み出した対象コンテンツＩＤにより識別される対象コンテンツを読み出し、当該読み出した対象コンテンツをディジタルサイネージ端末装置１４に対して送信する（ステップＳ１３０１）。
【００５４】
一方、図示しないＲＴＣにより計時された現在の日時（例えば、２０１１年１１月０１日の１５：００）が、設定部７０３により設定された送信日時（送信期間：２０１１年１１月０１日の１５：００）を表している場合（ステップＳ１３０２：Ｙｅｓ）、送信部７０５は、ステップＳ１３０１において送信中の対象コンテンツの送信が終了したか否かを判断する（ステップＳ１３０３）。そして、送信中の対象コンテンツの送信が終了すると（ステップＳ１３０３：Ｙｅｓ）、送信部７０５は、受信部７０４により受信したリンク先コンテンツ（例えば、売上が高い商品の商品名、メーカ名、売上金額、個数などを含む売上情報など）をディジタルサイネージ端末装置１４に送信する（ステップＳ１３０４）。
【００５５】
なお、受信したリンク先コンテンツのリンク先コンテンツＩＤが、リンク先コンテンツ情報テーブルＴ２において、送信設定情報（画像名）と対応付けて記憶されている場合、送信部７０４は、リンク先コンテンツＩＤと対応付けて記憶された画像名が表す画像を外部記憶装置４４から読み出し、読み出した画像を、リンク先コンテンツとともに送信する。また、受信したリンク先コンテンツのリンク先コンテンツＩＤが、リンク先コンテンツ情報テーブルＴ２において、送信設定情報（コンテンツ情報）と対応付けて記憶されている場合、送信部７０４は、受信したリンク先コンテンツ（売上情報）のうち、リンク先コンテンツＩＤと対応付けて記憶されたコンテンツ情報（例えば、部門：「お菓子」）の売上情報のみを送信する。これにより、ディジタルサイネージ端末装置１４は、図１２に示すように、受信したリンク先コンテンツに含まれる売上情報のうち、コンテンツ情報が表す部門：「お菓子」の売上情報（例えば、菓子名１２０３やメーカ名１２０２など）を、画像名が表す画像１２０１に含めたプレビュー画像４５Ｅを表示する。
【００５６】
リンク先コンテンツの送信が終了すると、送信部１３０５は、次に送信する対象コンテンツが有るか否か（つまり、ステップＳ１３０１で送信した対象コンテンツの対象コンテンツＩＤと対応付けて記憶された送信番号よりも大きい送信番号と対応付けて記憶された対象コンテンツＩＤが、リンク先コンテンツ情報テーブルＴ２に記憶されているか否か）を判断する（ステップＳ１３０５）。次に送信する対象コンテンツが無いと判断した場合（ステップＳ１３０５：Ｎｏ）、送信部７０５は、対象コンテンツの送信を終了する。一方、次に送信する対象コンテンツが有ると判断した場合（ステップＳ１３０５：Ｙｅｓ）、送信部７０５は、リンク先コンテンツ情報テーブルＴ２から、次に小さい送信番号と対応付けて記憶された対象コンテンツＩＤを読み出す。さらに、送信部７０５は、外部記憶装置４４から、読み出した対象コンテンツＩＤにより識別される対象コンテンツを読み出し、当該読み出した対象コンテンツをディジタルサイネージ端末装置１４に対して送信する（ステップＳ１３０１）。
【００５７】
このように、第１の実施形態の情報送信サーバ１１によれば、連続して送信する対象コンテンツにリンクさせるコンテンツであってＰＯＳシステム１５に記憶されたリンク先コンテンツ、および当該リンク先コンテンツを送信する送信日時を設定し、設定された送信日時または当該送信日時の所定時間前に、ＰＯＳシステム１５から、設定されたリンク先コンテンツを受信し、対象コンテンツを連続して送信するとともに、設定された送信日時に送信中の対象コンテンツと当該送信中の対象コンテンツの次に送信する対象コンテンツの間に、受信したリンク先コンテンツを送信することにより、ＰＯＳシステム１５に新たに記憶されたリンク先コンテンツを送信することができるので、ＰＯＳシステム１５に新たに記憶されたリンク先コンテンツをディジタルサイネージ端末装置１４に表示させることができる。また、送信中の対象コンテンツの表示が途中でリンク先コンテンツの表示に切り替えられることを防止できるので、当該送信中の対象コンテンツを最後まで視聴した上で、リンク先コンテンツを視聴することができる。
【００５８】
（第２の実施形態）
本実施形態は、設定された送信日時にリンク先コンテンツの受信要求を受け付け、受信要求を受け付けた場合に、外部機器から、設定されたリンク先コンテンツを受信するものである。なお、以下の説明では、第１の実施形態と異なる箇所についてのみ説明し、第１の実施形態と同様の箇所については説明を省略する。
【００５９】
図１４は、第２の実施形態にかかる情報送信サーバの機能構成を示すブロック図である。ＭＰＵ４６は、ＲＯＭ４７に記憶された制御プログラムに従って動作することで、図１４に示すように、表示制御部１４０１、選択部７０２、設定部１４０２、受信部１４０３、送信部７０５、および受付部１４０４として機能する。
【００６０】
図１０に示す第２設定画面４５Ｃのファンクションボタン領域１０３に表示された切替ボタン１０３Ｄ：「コンテンツＢ」が押下された場合、表示制御部１４０１は、時間を区切って値引きして販売するタイムサービス等の企画の企画名称や当該企画の詳細を示す詳細情報（例えば、企画を行う期間、企画により販売する商品の商品名、企画により販売する商品の売価等）を含むコンテンツＢ（リンク先コンテンツ）の送信に関する送信設定情報を入力する第２設定画面４５Ｆ（図１５参照）をディスプレイユニット４５に表示する。
【００６１】
図１５は、コンテンツＢの送信に関する送信設定情報を入力する第２設定画面の一例を示す図である。第２設定画面４５Ｆは、大別すると、画像表示領域１０１と、情報設定領域１５０１と、ファンクションボタン領域１０３と、を有している。
【００６２】
情報設定領域１５０１は、コンテンツＢ（リンク先コンテンツ）の送信に関する送信設定情報を入力するための領域である。本実施形態では、情報設定領域１５０１には、後述する設定部１４０２により設定された送信日時にコンテンツＢの受信要求を行う受信ボタン１５０２、受信ボタン１５０２による受信要求に応じたコンテンツＢの受信結果１５０３（例えば、コンテンツＢに含まれる企画名称や詳細情報１，２など）、コンテンツＢとともに送信する画像の画像名（画像情報）を入力する画像情報入力欄１０２Ａ、コンテンツＢを送信する送信期間（年月日）を入力する送信期間入力欄１０２Ｂ，コンテンツＢを送信する送信時間を入力する送信時間入力欄１０２Ｃ、およびコンテンツＢが複数の情報である詳細情報を含む場合にディジタルサイネージ端末装置１４に送信する詳細情報を入力するコンテンツ情報入力欄１０２Ｅを有している。なお、本実施形態では、受信ボタン１５０２が押下されて受信要求が行われた際に、リンク先コンテンツの受信が行われるため、受信時間入力欄１０２Ｄは、情報設定領域１５０１に含まれない。
【００６３】
第２設定画面４５Ｆにおいて送信設定情報が入力された後、第１設定画面４５Ｂが表示されている間に、オペレータが操作部４２を操作して、入力したリンク先コンテンツのコンテンツ名９１Ａにカーソル９５を移動させ、かつ第１設定画面４５Ｂのプレビューボタン９４Ｃを押下すると、表示制御部１４０１は、ディスプレイユニット４５にプレビュー画面４５Ｇ（図１６参照）を表示する。
【００６４】
図１６は、リンク先コンテンツのプレビュー画面の一例を示す図である。表示制御部１４０１は、プレビューボタン９４Ｃが押下されると、ＰＯＳシステム１５から、リンク先コンテンツであるコンテンツＢ（例えば、企画情報）を受信する。次いで、表示制御部１４０１は、受信した企画情報に含まれる企画名称１６０１：「タイムサービス」および当該受信した企画情報に含まれる詳細情報のうち第２設定画面４５Ｆにおいて入力したコンテンツ情報が表す詳細情報１（１６０２）を、第２設定画面４５Ｆにおいて入力された画像名が表す画像１６０３に含めたプレビュー画面４５Ｇを表示する。
【００６５】
図１４に戻り、設定部１４０２は、第２設定画面４５Ｆで入力された送信設定情報（例えば、画像名（画像情報）、送信期間、送信時間、コンテンツ情報）を、選択部７０２により選択された対象コンテンツ（選択画面４５Ａにおいてカーソル８６が移動したサムネイル画像８１Ａが表す対象コンテンツ）の対象コンテンツＩＤと対応付けて、リンク先コンテンツ情報テーブルＴ２に記憶させる。
【００６６】
受付部１４０４は、設定部１４０２により設定された送信日時（第２設定画面４５Ｆで入力された送信期間および送信時間）または当該送信日時の所定時間前に、リンク先コンテンツであるコンテンツＢの受信要求を受け付けるものである。本実施形態では、受付部１４０４は、第２設定画面４５Ｆで入力された送信期間および送信時間が表す送信日時または当該送信日時の所定時間前に、当該第２設定画面４５Ｆの情報設定領域１５０１に表示された受信ボタン１５０２が押下された場合に、リンク先コンテンツの受信要求を受け付けるものとする。
【００６７】
受信部１４０３は、受付部１４０４によりリンク先コンテンツの受信要求が受け付けられた場合、ＰＯＳシステム１５から、設定部１４０２により設定されたリンク先コンテンツを受信するものである。本実施形態では、受信部１４０３は、リンク先コンテンツの受信要求が受け付けられると、リンク先コンテンツ情報テーブルＴ２から、当該リンク先コンテンツ情報テーブルＴ２に記憶されたリンク先コンテンツＩＤのうち、現在の日時（図示しないＲＴＣにより計時される日時）を表す送信日時（送信期間および送信時間）と対応付けて記憶されたリンク先コンテンツＩＤを特定する。そして、受信部１４０３は、ＰＯＳシステム１５から、特定したリンク先コンテンツＩＤにより識別されるリンク先コンテンツを受信する。受信部１４０３は、受信したリンク先コンテンツをＲＡＭ４８等に記憶させ、同一のリンク先コンテンツＩＤにより識別されるリンク先コンテンツを新たに受信するまで、当該受信したリンク先コンテンツをＲＡＭ４８等に記憶させておくものとする。
【００６８】
このように、第２の実施形態の情報送信サーバ１１によれば、設定された送信日時にリンク先コンテンツの受信要求を受け付け、受信要求を受け付けた場合に、ＰＯＳシステム１５から、設定されたリンク先コンテンツを受信することにより、ＰＯＳシステム１５に新たに記憶されたリンク先コンテンツを送信することができるので、ＰＯＳシステム１５に新たに記憶されたリンク先コンテンツをディジタルサイネージ端末装置１４に表示させることができる。
【００６９】
（第３の実施形態）
本実施形態は、顧客情報と当該顧客情報が示す顧客のランクとを対応付けて記憶する記憶部を備え、対象コンテンツの送信先から顧客情報を受信し、設定された送信日時に送信中の対象コンテンツと当該送信中の対象コンテンツの次に送信する対象コンテンツとの間に、受信したリンク先コンテンツのうち、受信した顧客情報と対応付けて当該記憶部に記憶されたランクに応じたリンク先コンテンツを送信するものである。なお、以下の説明では、第１の実施形態と異なる箇所についてのみ説明し、第１の実施形態と同様の箇所については説明を省略する。
【００７０】
本実施形態では、外部記憶装置４４は、コンテンツ、画像、コンテンツ情報テーブルＴ１、およびリンク先コンテンツ情報テーブルＴ２に加えて、顧客情報テーブルを記憶する。顧客情報テーブルは、顧客ＩＤ、顧客名称、住所、性別、年齢、趣味などの顧客を示す顧客情報と、当該顧客情報が示す顧客のランク（例えば、ゴールド、シルバー、ブロンズなど）とを対応付けて記憶する記憶部として機能するものである。
【００７１】
図１７は、第３の実施形態にかかる情報送信サーバの機能構成を示すブロック図である。ＭＰＵ４６は、ＲＯＭ４７に記憶された制御プログラムに従って動作することで、図１７に示すように、表示制御部１７０１、選択部７０２、設定部１７０２、受信部１７０３、および送信部１７０４として機能する。
【００７２】
図１０に示す第２設定画面４５Ｃのファンクションボタン領域１０３に表示された切替ボタン１０３Ｄ：「顧客情報」が押下された場合、表示制御部１４０１は、顧客情報に応じたリンク先コンテンツの送信に関する送信設定情報を入力する第２設定画面４５Ｇ（図１８参照）をディスプレイユニット４５に表示する。
【００７３】
図１８は、顧客情報に応じたリンク先コンテンツの送信に関する送信設定情報を入力する第２設定画面の一例を示す図である。第２設定画面４５Ｇは、大別すると、画像表示領域１０１と、情報設定領域１９０１と、ファンクションボタン領域１０３と、を有している。
【００７４】
情報設定領域１９０１は、顧客情報に応じたコンテンツＣ（リンク先コンテンツ）の送信に関する送信設定情報を入力するための領域である。本実施形態では、情報設定領域１９０１には、後述する受信部１７０３により顧客情報を受信した際に受信したコンテンツＣの受信結果１９０２（例えば、顧客カードを持つ会員毎に異なる価格で商品を販売する会員価格企画等の企画の企画名称、当該企画を行う企画期間、当該企画で販売する商品の商品名称、当該企画で販売する商品のランク毎の売価等）、コンテンツＣとともに送信する画像の画像名（画像情報）を入力する画像情報入力欄１０２Ａ、コンテンツＣを送信する送信期間（年月日）を入力する送信期間入力欄１０２Ｂ、およびコンテンツＣを送信する送信時間を入力する送信時間入力欄１０２Ｃを有している。なお、本実施形態では、ディジタルサイネージ端末装置１４から顧客情報を受信した際にコンテンツＣの受信が行われるため、受信時間入力欄１０２Ｄは、情報設定領域１９０１には含まれない。また、画像情報入力欄１０２Ａには、顧客のランク毎に画像名（画像情報）を入力できるようにしても良い。
【００７５】
図１７に戻り、設定部１７０２は、第２設定画面４５Ｇで入力された送信設定情報（例えば、画像名（画像情報）、送信期間、送信時間）を、選択部７０２により選択された対象コンテンツの対象コンテンツＩＤと対応付けて、リンク先コンテンツ情報テーブルＴ２に記憶させる。
【００７６】
受信部１７０３は、対象コンテンツの送信先（本実施形態では、ディジタルサイネージ端末装置１４）から、顧客情報を受信するものである。本実施形態では、受信部１７０３は、ディジタルサイネージ端末装置１４が有するカードリーダ２７によって顧客情報が読み取られた際に、当該ディジタルサイネージ端末装置１４から顧客情報を受信するものとする。
【００７７】
また、受信部１７０３は、設定部１７０２により設定された送信日時または当該送信日時の所定時間前に、ＰＯＳシステム１５から、設定部１７０２により設定されたリンク先コンテンツを受信するものである。本実施形態では、受信部１７０３は、リンク先コンテンツ情報テーブルＴ２から、当該リンク先コンテンツ情報テーブルＴ２に記憶されたリンク先コンテンツＩＤのうち、現在の日時（図示しないＲＴＣにより計時される日時）を表す送信日時（送信期間および送信時間）と対応付けて記憶されたリンク先コンテンツＩＤを特定する。そして、受信部１７０３は、ＰＯＳシステム１５から、特定したリンク先コンテンツＩＤにより識別されるリンク先コンテンツを受信する。受信部１７０３は、受信したリンク先コンテンツをＲＡＭ４８等に記憶させ、同一のリンク先コンテンツＩＤにより識別されるリンク先コンテンツを新たに受信するまで、当該受信したリンク先コンテンツをＲＡＭ４８等に記憶させておくものとする。
【００７８】
送信部１７０４は、設定部１７０２により設定された送信日時に送信中の対象コンテンツと当該送信中の対象コンテンツの次に送信する対象コンテンツの間に、受信部１７０３により受信したリンク先コンテンツのうち、受信部１７０３により受信した顧客情報と対応付けて顧客情報テーブルに記憶されたランクに応じたリンク先コンテンツを送信するものである。本実施形態では、送信部１７０４は、リンク先コンテンツ情報テーブルＴ２に記憶されたリンク先コンテンツＩＤのうち、現在の日時（図示しないＲＴＣにより計時される日時）を表す送信日時（送信期間および送信時間）と対応付けて記憶されたリンク先コンテンツＩＤを特定する。次いで、送信部１７０４は、受信部１７０３が受信したリンク先コンテンツのうち、特定したリンク先コンテンツＩＤにより識別されるリンク先コンテンツを特定する。さらに、送信部１７０４は、特定したリンク先コンテンツから、受信した顧客情報と対応付けて顧客情報テーブルに記憶されたランクに応じたリンク先コンテンツを特定する。例えば、送信部１７０４は、企画名称、当該企画を行う企画期間、当該企画で販売する商品の商品名称、当該企画で販売する商品のランク毎の売価等を含むリンク先コンテンツから、企画名称、企画機関、商品名称、および受信した顧客情報と対応付けて顧客情報テーブルに記憶されたランクに応じた売価を含むリンク先コンテンツを特定する。そして、送信部１７０４は、送信中の対象コンテンツの送信が終了した後であって当該送信中の対象コンテンツの次に送信する対象コンテンツを送信する前に、特定したリンク先コンテンツを送信する。
【００７９】
このように、第３の実施形態の情報送信サーバ１１によれば、顧客情報と当該顧客情報が示す顧客のランクとを対応付けて記憶する記憶部を備え、対象コンテンツの送信先から顧客情報を受信し、設定された送信日時に送信中の対象コンテンツと当該送信中の対象コンテンツの次に送信する対象コンテンツとの間に、受信したリンク先コンテンツのうち、受信した顧客情報と対応付けて当該記憶部に記憶されたランクに応じたリンク先コンテンツを送信することにより、ＰＯＳシステム１５と連動して各顧客に特化したリンク先コンテンツの表示を行うことができる。
【００８０】
以上説明したとおり、第１から第３の実施形態によれば、ＰＯＳシステム１５に記憶されているリンク先コンテンツとディジタルサイネージ端末装置１４で表示されるリンク先コンテンツとを連動させることができる。
【００８１】
本実施形態の情報送信サーバ１１で実行される制御プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供される。
【００８２】
また、本実施形態の情報送信サーバ１１で実行される制御プログラムを、インターネット等のネットワークに接続されたコンピュータ上に格納し、ネットワーク経由でダウンロードさせることにより提供するように構成しても良い。また、本実施形態の情報送信サーバ１１で実行される制御プログラムをインターネット等のネットワーク経由で提供または配布するように構成しても良い。
【００８３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８４】
１１  情報送信サーバ
１２  通信ネットワーク
１４  ディジタルサイネージ端末装置
１５  ＰＯＳシステム
４１  コントローラ
４６  ＭＰＵ
４７  ＲＯＭ
４８  ＲＡＭ
７０３，１４０２，１７０２  設定部
７０４、１４０３，１７０３  受信部
７０５，１７０４  送信部
１４０４  受付部
【先行技術文献】
【特許文献】
【００８５】
【特許文献１】特許第２５４６０９５号
【図１】
2013171466.tif 000003
【図２】
2013171466.tif 000004
【図３】
2013171466.tif 000005
【図４】
2013171466.tif 000006
【図５】
2013171466.tif 000007
【図６】
2013171466.tif 000008
【図７】
2013171466.tif 000009
【図８】
2013171466.tif 000010
【図９】
2013171466.tif 000011
【図１０】
2013171466.tif 000012
【図１１】
2013171466.tif 000013
【図１２】
2013171466.tif 000014
【図１３】
2013171466.tif 000015
【図１４】
2013171466.tif 000016
【図１５】
2013171466.tif 000017
【図１６】
2013171466.tif 000018
【図１７】
2013171466.tif 000019
【図１８】
2013171466.tif 000020